(57)【要約】  オイルジェット（２３）は、オイル供給通路から供給されるエンジンオイルをピストンへ向けて噴射する噴射ノズル（３２）を備える。この噴射ノズル（３２）は、オイル供給通路側に連通する供給口（３５）を有する第１管路（３６）と、エンジンオイルを噴射する噴射口（３７）を有する第２管路（３８）と、を有し、これら第１管路（３６）と第２管路（３８）とは軸心が所定角度をもって連結している。噴射口（３７）の断面積を、第１管路（３６）の最小の径方向断面積よりも大きく形成する。
2016189959.tif 000002
【特許請求の範囲】
【請求項１】
内燃機関の内部に設けられ、ピストンの裏面側へ向けてオイルを噴射する内燃機関用オイルジェットであって、
上記内燃機関のオイル供給通路から供給されるエンジンオイルを上記ピストンへ向けて噴射する噴射ノズルを備え、
この噴射ノズルは、上記オイル供給通路側に連通する第１管路と、エンジンオイルを噴射する噴射口を有する第２管路と、を有し、これら第１管路と第２管路とは軸心が所定角度をもって連結しており、
上記噴射口の断面積が、上記第１管路の最小の径方向断面積よりも大きく形成されていることを特徴とする内燃機関用オイルジェット。
【請求項２】
上記第２管路の最小の径方向断面積が、上記第１管路の最小の径方向断面積よりも大きく形成されていることを特徴とする請求項１に記載の内燃機関用オイルジェット。
【請求項３】
上記内燃機関用オイルジェットは、上記内燃機関のオイル供給通路へ供給されるエンジンオイルの油圧が所定値以上となるとエンジンオイルが噴射するように形成されていることを特徴とする請求項２に記載の内燃機関用オイルジェット。
【請求項４】
上記第２管路は、直線状に形成されていることを特徴とする請求項２に記載の内燃機関用オイルジェット。
【請求項５】
上記第１管路は、直線状に形成されていることを特徴とする請求項４に記載の内燃機関用オイルジェット。
【請求項６】
上記第１管路と第２管路とは軸心が３０度以上の角度をもって連結していることを特徴とする請求項５に記載の内燃機関用オイルジェット。
【請求項７】
上記第２管路の最小の径方向断面積は、上記第１管路の最小の径方向断面積に対して４倍以上に形成されていることを特徴とする請求項２に記載の内燃機関用オイルジェット。
【請求項８】
上記第１管路の軸心を、上記第２管路の軸心に対してオフセットさせていることを特徴とする請求項５に記載の内燃機関用オイルジェット。
【請求項９】
上記第２管路の軸心に対する上記第１管路の軸心のオフセット量が、上記第２管路の直径に対して１５％以下に設定されていることを特徴とする請求項８に記載の内燃機関用オイルジェット。
【請求項１０】
上記第２管路は、複数の穴あけ加工により長孔状に成形されていることを特徴とする請求項２に記載の内燃機関用オイルジェット。
【請求項１１】
上記第２管路は、噴射口へ向けて径方向断面積が拡がる円錐形状に形成されていることを特徴とする請求項２に記載の内燃機関用オイルジェット。
【請求項１２】
内燃機関の内部に設けられ、ピストンの裏面側へ向けてエンジンオイルを噴射する内燃機関用ピストンの冷却装置であって、
上記内燃機関からエンジンオイルが供給される供給管と、
この供給管と連通し、上記ピストンへ向けてオイルを噴射する噴射口を有する噴射管と、を備え、
上記噴射口の断面積が、上記供給管の最小の径方向断面積よりも大きく形成されていることを特徴とする内燃機関用ピストンの冷却装置。
【請求項１３】
上記供給管は、一部分の径方向断面積がオリフィス状に絞られていることを特徴とする請求項１２に記載の内燃機関用ピストンの冷却装置。
【請求項１４】
上記供給管は、上記噴射管と接続する部分の径方向断面積が小さくされていることを特徴とする請求項１３に記載の内燃機関用ピストンの冷却装置。
【請求項１５】
内燃機関の内部に設けられ、ピストンの裏面側へ向けてオイルを噴射する内燃機関用オイルジェットであって、
上記内燃機関のオイル供給通路から供給されるオイルを上記ピストンへ向けて噴射する噴射ノズルを備え、
この噴射ノズルは、上記供給通路と連通する第１管路と、オイルを噴射する噴射口を有する第２管路と、を有し、これら第１管路と第２管路とは軸心が所定角度をもって連結しており、
上記第２管路は、その軸心が上記第１管路の軸心に対してオフセットしていることを特徴とする内燃機関用オイルジェット。
【発明の詳細な説明】
【技術分野】
【０００１】
本発明は、内燃機関用オイルジェット及び内燃機関用ピストンの冷却装置の改良に関する。
【背景技術】
【０００２】
内燃機関のオイルジェットは、周知のように、ピストンの裏面側へエンジンオイルを噴射することによりピストンの温度を低減し、ピストンの強度・信頼性の確保や、ノッキングの低減を図るものである。【０００３】
近年の内燃機関の低燃費化に貢献すべく、エンジンオイルの油圧を発生させるオイルポンプの小型化・省エネルギー化や、オイルジェットへのエンジンオイル供給量の低減化等が望まれており、少ない油量で効率的な熱交換を行なう必要性がある。ここで、一般的な従来のオイルジェットは、噴射口側の先端が絞られており、流速を上げて直線状にオイルを噴射するようになっている。このため、オイルの噴流は直進性が高くノズル先端径程度の噴流径であり、局所的な冷却となることから、ピストン全体を効率的に冷却することができない。【０００４】
そこで、特許文献１ではオイルジェットの先端部を様々な形状とし、噴射される噴流形状をコントロールする技術が開示されている。また特許文献２では、オイルジェットのパイプ内面に螺旋状の溝を持つ構造が提案されている。
【先行技術文献】
【特許文献】
【０００５】
【特許文献１】実開平４−１０５９３５号公報
【特許文献２】実開昭５０−５２３４１号公報
【発明の概要】
【発明が解決しようとする課題】
【０００６】
しかしながら特許文献１に示されるように、オイルジェットのノズル先端に様々な形状を付加することは、その分、製造工数や製造コストが上昇してしまう。また、特許文献２に示されるように、オイルジェットの曲面をなすパイプ内面に螺旋状の溝を形成することは技術的にも非常に困難であり、やはり製造工数や製造コストが上昇する。【０００７】
そこで本発明は、製造や加工が容易でありながら、エンジンオイルを広範囲に噴射可能であり、冷却効果の高い新規な内燃機関用オイルジェット及び内燃機関用ピストンの冷却装置を提供することを目的としている。
【課題を解決するための手段】
【０００８】
本発明は、内燃機関の内部に設けられ、ピストンの裏面側へ向けてオイルを噴射する冷却装置としての内燃機関用オイルジェットに関する。このオイルジェットは、内燃機関のオイル供給通路から供給されるオイルを上記ピストンへ向けて噴射する噴射ノズルを備える。この噴射ノズルは、上記供給通路と連通する第１管路と、オイルを噴射する噴射口を有する第２管路と、を有し、これら第１管路と第２管路とは軸心が所定角度をもって連結している。そして、上記噴射口の断面積が、上記第１管路の径方向の最小断面積よりも大きく形成されている。
【発明の効果】
【０００９】
本発明によれば、製造や加工が容易でありながら、オイルを広範囲に噴射可能であり、冷却効率を大幅に高めることができる。
【図面の簡単な説明】
【００１０】
【図１】本発明に係る内燃機関用オイルジェットが適用される内燃機関の一例を示す断面図。
【図２】図１のピストンを裏面側から見た下面図。
【図３】本発明の第１実施例に係る内燃機関用オイルジェットを示す斜視図。
【図４】上記第１実施例に係る内燃機関用オイルジェットを示す断面図。
【図５】上記第１実施例に係る噴射ノズル内のエンジンオイルの流れを時系列で模式的に示す説明図。
【図６】参考例（Ａ）及び上記第１実施例（Ｂ）のエンジンオイルの噴射形態を模式的に示す説明図。
【図７】第２管路の直径、直径の比及び断面積の比に対する空洞の発生の有無の試験結果を示す特性図。
【図８】本発明の第２実施例に係る内燃機関用オイルジェットの要部を示す斜視図。
【図９】上記第２実施例に係る噴射ノズル内のエンジンオイルの流れを時系列で模式的に示す説明図。
【図１０】上記第２実施例のエンジンオイルの噴射形態を模式的に示す説明図。
【図１１】上記第２実施例のオイルジェットの試験内容を説明するための説明図。
【図１２】上記第２実施例のオイルジェットの試験結果を示す説明図。
【図１３】本発明の第３実施例に係る内燃機関用オイルジェットの要部を示す斜視図。
【図１４】上記第３実施例に係る内燃機関用オイルジェットの要部を示す断面図。
【図１５】本発明の第４実施例に係る内燃機関用オイルジェットの要部を示す斜視図。
【図１６】本発明の第５実施例に係る内燃機関用オイルジェットを示す斜視図。
【図１７】上記第５実施例に係る内燃機関用オイルジェットを示す断面図。
【図１８】上記第５実施例の供給管の変形例を示す断面図。
【図１９】本発明の第６実施例に係る内燃機関用オイルジェットを示す斜視図。
【発明を実施するための形態】
【００１１】
以下、図示実施例により本発明に係る内燃機関用オイルジェット及び内燃機関用ピストンの冷却装置について説明する。
【００１２】
図１に示すように、シリンダブロック１０の内部には円筒形のシリンダライナー１１が設けられ、このシリンダライナー１１の内部に、ピストン１２が往復可能に配置されている。シリンダライナー１１には、冷却水が通流するウォータジャケット１３が設けられている。ピストン１２は、アルミニウム合金や鋳鉄等の金属材料により有底筒状に鋳造されるもので、ピストン１２の上方に形成される燃焼室１４に面したピストン冠面１５を有するピストン上部１６には、複数のリング溝１７が周方向の全周にわたって凹設されている。各リング溝１７にはピストンリング（図示省略）が装着され、このピストンリングによって、シリンダライナー１１の内面との隙間がシールされるとともにシリンダライナー１１の内面に付着するエンジンオイルが掻き落とされる。ピストン１２の下部には、ピストンピン２１と直交するスラスト−反スラスト方向に、下方へ延びる円筒形状のスカート部１８が設けられ、このスカート部１８によりピストンの傾倒を抑制するようになっている。
【００１３】
図１及び図２に示すように、ピストン１２のピンボス部１９とコネクティングロッド２０の上端とは、両者を挿通するピストンピン２１により相対回転可能に連結され、コネクティングロッド２０の下端は、クランクシャフトのクランクピン２２に回転可能に取り付けられている。従って、ピストン冠面１５が面した燃焼室１４で発火した燃焼ガスの圧力（荷重）は、ピストンピン２１及びコネクティングロッド２０を介してクランクシャフトのクランクピン２１へ伝達される。
【００１４】
またシリンダブロック１０には、内燃機関用ピストンの冷却装置としてのオイルジェット２３が取り付けられる。このオイルジェット２３は、ピストン１２の裏面側へ向けてエンジンオイルを噴射・供給することにより、ピストン１２を冷却する機能を有するものであり、コネクティングロッド２０やクランクシャフト等との干渉を避けるように、シリンダライナー１１の下端の取付面２４に固定ボルト２５を用いて締結・固定される。
【００１５】
シリンダブロック１０には、オイルジェット２３を含めたオイル供給部位へエンジンオイルを供給するオイル供給通路２６が設けられている。図示していないが、内燃機関の下方に設けられたオイルパンに貯留されているエンジンオイルは、オイルポンプにより加圧され、上記のオイル供給通路２６を介して、オイルジェット２３の他、潤滑部位や油圧作動機器等へと供給される。
【００１６】
オイルジェット２３の代表的な構造としては、図１８に示すようなダイキャスト型，図１６及び図１７に示すようなろう付け２ピース型、及び図３及び図４に示すようなろう付け一体型が挙げられる。ダイキャスト型とろう付け２ピース型の場合、典型的には、チェックボールを内蔵した固定ボルトによりシリンダブロック１０へ締結・固定される。ろう付け一体型で、バルブ機構を内蔵している場合には、チェックボールを内蔵していない一般的な固定ボルトによりシリンダブロック側へ固定することもできる。
【００１７】
ここでは図示していないが、チェックボールは、周知のように、スプリングによりオイル供給通路２６を塞ぐ方向に付勢されており、オイル供給通路２６（メインギャラリー）内のエンジンオイルの油圧がスプリングのセット荷重を上回ることによりエンジンオイルがオイルジェット２３へ供給される。つまり、内燃機関のオイル供給通路２６へ供給されるエンジンオイルの油圧が所定値以上となると自発的にエンジンオイルが噴射するように構成されている。オイルジェット２３に流れ込んだエンジンオイルは、後述するように、オイルジェット２３の内部の管路を通って、ピストン冠面１５の裏面側へ噴射・供給される。
【００１８】
図３及び図４は、本発明をろう付け一体型のオイルジェット２３Ａに適用した第１実施例を示している。オイルジェット本体３０には、チェックボールを内蔵した固定ボルト２５が緩く貫通する円柱状のボルト貫通孔３１が形成されているとともに、管状の噴射ノズル３２が一体的に形成されている。エンジンオイルは、シリンダブロック１０内のオイル供給通路２６から固定ボルト２５の軸心に沿って形成されたボルト内通路３３へ流入し、固定ボルト２５の外周とボルト貫通孔３１の内周との間に形成された空間である筒状の通路３４と、上記の噴射ノズル３２内の管路と、を通ってピストン１２へ噴射・供給される。
【００１９】
噴射ノズル３２は、筒状の通路３４（オイル供給通路２６）側へ連通する供給口３５を有する第１管路３６と、オイルを噴射する出口側の噴射口３７を有する第２管路３８と、を有し、これら第１管路３６と第２管路３８とは軸心が所定角度（この実施例では、約９０度）をもって接続・連結されている。
【００２０】
第１管路３６は、噴射口３７を含めて同じ径方向断面積（通路断面積）の直線状に形成されている。第２管路３８は、供給口３５を含めて同じ径方向断面積の直線状に形成され、噴射口３７や第１管路３６の最小の径方向断面積よりも十分に大きく形成されている。具体的には、第２管路３８の最小の径方向断面積は、第１管路３６の最小の径方向断面積に対して４倍以上に形成されている。
【００２１】
図５は、噴射ノズル３２内のエンジンオイルの流れを時系列（Ａ）〜（Ｄ）に示す説明図である。エンジンオイルは、先ず（Ａ）に示すように通路断面積が小さく細い第１管路３６から通路断面積が大きい第２管路３８へ流入し、（Ｂ）に示すように、その慣性により第１管路３６と反対側（図５の左側）の第２管路３８の内周面に衝突する。
【００２２】
衝突したエンジンオイルは、（Ｃ）に示すように、第２管路３８の内周面に沿うように衝突位置から両側へ折り返されて流れる。従って、最終的には（Ｄ）に示すように、第２管路３８の内部には、双極の渦が発生し、第１管路３６の軸心を挟んで両側に２つの空洞４０が形成される形となる。このように空洞４０が発生することで、噴射口３７より噴射されるエンジンオイルの流れが不安定となり、エンジンオイルが空気と混ざり合いながら噴出することとなる。
【００２３】
図６（Ａ）は第２管路３８の最小断面積を第１管路３６の最小断面積よりも小さくした参考例を示している。この参考例では、流速が高くなり、ほぼ直線状にエンジンオイルが噴射されるために、エンジンオイルの噴流は直進性が高く、噴射口の口径程度の噴流径となることから、局所的な冷却となり、ピストン全体を効率的に冷却することができない。
【００２４】
これに対して、図６（Ｂ）に示すように、第２管路３８の最小の径方向断面積を第１管路３６の最小の径方向断面積よりも大きくした本実施例では、上述したようにエンジンオイルが空気と混ざり合いながら噴射されることから、上記参考例のような連続的な流れ場から、断続的な液滴の流れ場となる。このような液滴の流れ場が生成されることによって、エンジンオイルの噴射範囲が拡大するとともに、液滴となったエンジンオイルがピストン冠面１５の裏面側に接触した際に飛散し易くなり、実質的な噴射範囲が二次的に拡大される効果も得られることから、熱伝達量が増加し、冷却効率を格段に高めることができる。
【００２５】
図７は、第２管路３８の最小の直径と、第１管路３６の最小の直径に対する第２管路３８の最小の直径の比と、第１管路３６の最小の径方向断面積に対する第２管路の最小の径方向断面積の比と、に対し、第２管路３８内に空洞４０が生成されたか否かを実験した結果を示している。同図の下側の２段の実験結果のように、第２管路３８の直径が第１管路の直径の２倍以上、あるいは第２管路３８の最小の径方向断面積が第１管路３６の最小の径方向断面積の４倍以上の場合に、第２管路３８の内部に上述したような空洞４０が生成されることが確認された。
【００２６】
次に、図８〜図１０を参照して、本発明の第２実施例のオイルジェット２３Ｂについて説明する。なお、以下の説明では、既述した実施例と同様の構成には同じ参照符号を付して重複する説明を適宜省略する。この第２実施例では、第１管路３６の軸心３６Ａを、第２管路３８の軸心３８Ａに対して所定のオフセット量ｅ（図９参照）だけオフセットさせている。
【００２７】
図９は、図５と同様、噴射ノズル３２内のエンジンオイルの流れを時系列（Ａ）〜（Ｄ）に示す説明図である。エンジンオイルは、（Ａ）に示すように通路断面積が小さく細い第１管路３６から通路断面積が大きい第２管路３８へ流入し、（Ｂ）に示すように、その慣性により第１管路３６と反対側（図５の左側）の第２管路３８の内周面に衝突する。
【００２８】
この際、第２実施例では、第１管路３６の軸心３６Ａが第２管路３８の軸心３８Ａに対して図９の下側へオフセットしているために、衝突したエンジンオイルは、（Ｃ）に示すように、その大半がオフセット方向と反対側（図９の上側）、つまり時計回り方向へと流れ、時計回り方向の旋回流れＹ１が一つ発生する。なお、図９（Ｅ）に示すように、仮に第２管路３８の通路断面積が大きくなくても、旋回流れＹ２は発生する。そして、最終的には（Ｄ）に示すように、第２管路３８の内部には、反オフセット方向に一つの空洞４１ができる場合がある。
【００２９】
このように第２実施例では、第２管路３８の内部に旋回流れＹ１を保ったまま噴射が行なわれることから、図１０に示すように、先ず噴射直後には半径方向へ広がる液膜が形成され、この液膜が進行して崩壊すると、液滴の流れとなる。従って、第１実施例と同様の効果が得られることに加え、オフセットによる旋回流れＹ１によって噴射範囲を更に拡大し、良好な冷却特性を得ることができる。
【００３０】
オフセット量ｅを大きくし過ぎると、旋回流れＹ１が強くなり過ぎて、噴霧の直進性が悪化することから、オフセット量ｅはある限定された範囲とすることが好ましい。そこで、図１１に示すように、オフセット量に対する直進性を確認するために、噴射口から５０ｍｍ先にある直径８ｍｍの面を通過する流量で、液膜流れの変化を確認した。その結果を図１２に示す。同図に示すように、噴射口３７の直径である出口径に対するオフセット量ｅが１５％を超えると、図１１（ｂ）にも示すように、直進性が失われ、液膜が拡大方向となるために、噴射特後に拡散してしまい、ピストン冠面１５の裏面側まで届かないことが確認された。従って、噴射口３７の直径（出口径）に対してオフセット量が１５％以下、より好ましくは１０％以下であることが望ましい。
【００３１】
図１３及び図１４は本発明の第３実施例を示している。この第３実施例では、第２管路３８Ｃが、複数の穴あけ加工により長孔状に成形されている。また、図１５に示す第４実施例では、第２管路３８Ｄが、噴射口３７へ向けて徐々に径方向の断面積が拡大する円錐形状に形成されている。これら第３，第４実施例のような第２管路３８Ｃ，３８Ｄの形状であっても、上記第１，第２実施例と同様の作用効果を得ることができる。
【００３２】
図１６及び図１７は、ろう付け２ピース型のオイルジェットに本発明を適用した第５実施例を示している。第１実施例と同様、オイルジェット本体３０には、チェックボールを内蔵した固定ボルト２５が緩く貫通する円柱状のボルト貫通孔３１が形成されている。そして、この第５実施例では、オイルジェット本体３０に対して別体の噴射管４３を固定しており、この噴射管４３が、噴射口３７を有する噴射ノズル３２の一部を構成している。噴射管４３は径方向の断面積が一定であり、かつ、途中に適宜に湾曲する湾曲部４４が設けられている。
【００３３】
そして、オイルジェット本体３０には、噴射管４３と接続する供給管４５が一体的に設けられている。この供給管４５は、噴射管４３の内部の管路よりも径方向断面積が小さく設定されている。
【００３４】
従って、この第５実施例の構成の場合、噴射管４３の湾曲部４４よりも噴射口３７側の部分が第２管路３８を構成し、噴射管４３の湾曲部４４よりも反噴射口３７側の部分と、供給口３５が設けられた上記の供給管４５とが第１管路３６を構成し、第１管路３６の最小断面積である供給管４５の内部の径方向断面積に比して、噴射口３７を含めた第２管路３８（噴射管４３）の径方向断面積が大きく設定されている。
【００３５】
このような第５実施例においても、上述した第１実施例と同様、第１管路３６よりも第２管路３８の通路断面積が大きく設定されているために、冷却効率を高めることができる。
【００３６】
上記第５実施例の変形例として、図１８に示すように、供給管４５の一部分４６の径方向断面積をオリフィス状に絞るようにしても良い。この場合であっても、供給管４５の一部分４６における最小の径方向断面積を、噴射口３７の断面積よりも小さくすることができる。
【００３７】
図１９は、ダイキャスト型のオイルジェットに本発明を適用した第６実施例を示している。この例では、Ｖ型内燃機関の左右バンクの双方のピストンにエンジンオイルを供給するように、オイルジェット本体３０に、先端に噴射口３７を有する２本の噴射ノズル３２が一体的に形成されている。このようなダイキャスト型の構造にも本発明を適用可能である。
【００３８】
次に、上述した実施例の特徴的な構成及びその作用効果について列記する。
【００３９】
［１］図４にも示すように、噴射ノズル３２は、オイル供給通路側に連通する供給口３５を有する第１管路３６と、エンジンオイルを噴射する噴射口３７を有する第２管路３８と、を有し、両者の軸心が所定角度をもって連結している。そして、噴射口３７の断面積が、第１管路３６の最小の径方向断面積よりも大きく形成されている。
【００４０】
従って、噴射されるエンジンオイルに空気が混じり合い、粒状・液滴状の噴霧となる。この結果、噴射範囲が拡大し、ピストン冠面の裏面側に広がって付着することから、ピストン温度低減効果が飛躍的に向上する。ピストン温度の低減によって、高温時などにピストン自体の強度が低下するのを抑制することができ、よって信頼性が向上する。また、ピストン冠面の温度が下がるため、ノッキングも抑制される。
【００４１】
［２］更に言えば、第２管路３８の最小の径方向断面積が、第１管路３６の最小の径方向断面積よりも大きく形成されている。従って、図５にも示すように、細い第１管路３６から太い第２管路３８へエンジンオイルが流入し、第２管路の壁面に衝突する際に、旋回流が生じ、この旋回流により噴射範囲が更に拡大する。
【００４２】
［３］また、内燃機関用オイルジェット２３は、内燃機関のオイル供給通路２６へ供給されるエンジンオイルの油圧が所定値以上となると自発的にエンジンオイルが噴射するように構成されている。
【００４３】
このように油圧によって自動的に噴射するので、電磁弁などを用いる必要がなく、構造が簡素化される。更に言えば、このように油圧により作動するタイプのオイルジェットの場合、油圧が高いエンジン始動時にもオイルが噴射される。ここで、図６（Ａ）の参考例に示すように、エンジンオイルが直線状に噴射される従来のオイルジェットの場合、オイルの付着地点からピストン冠面の裏面側へ広がるようにオイルが流れるのに対し、図６（Ｂ）に示すような本実施例のオイルジェットの場合、粒状にオイルを噴射するため、オイルが粒状に重なるようにピストン裏面側に付着することから、オイルの付着時間が長くなり、熱交換が促進される。従って、オイル自体がより温度吸収し易くなり、オイルの温度が上昇し易くなることから、始動時のオイル温度上昇を向上し、オイルの粘度を低下させることができる。したがって始動時の燃費を向上することができる。
【００４４】
［４］図４にも示すように、第２管路３８が噴射口３７まで直線状に形成されていると、エンジンオイルが第１管路３６から第２管路３８に流入して形成される粒状がそのまま噴射口３７から噴射されるので、噴射オイルの粒状化が得られ易い。また、ドリルの孔開け加工により容易に第２管路３８を形成することができる。
【００４５】
［５］同様に、第１管路３６もまた直線状に形成されていると、第１管路３６内を流れるエンジンオイルの軸心に沿う慣性力が強化され、第２管路３８の内壁面にエンジンオイルが衝突する際の粒状化が促進される。また、例えばドリル加工により第１管路３６を容易に形成することができる。
【００４６】
［６］好ましくは、第１管路３６と第２管路３８とは軸心が３０度以上の角度をもって連結している。これによって、第１管路３６内を流れるエンジンオイルが第２管路３８の内壁面に衝突する際にエンジンオイルの粒状化・液滴化が促進される。
【００４７】
［７］図７に示すように、第２管路３８の最小の径方向断面積が、第１管路３６の最小の径方向断面積に対して４倍以上であると、図５に示すように第２管路３８の内部に空洞４０が形成され、噴射されるエンジンオイルの液滴化が促進される。
【００４８】
［８］また、図８に示す第２実施例では、第１管路３６の軸心３６Ａを、第２管路３８の軸心３８Ａに対してオフセットさせている。このようなオフセットにより、図９に示すように、旋回流れＹ１が強化され、噴射範囲を更に拡大することができる。
【００４９】
［９］第２管路３８の軸心３８Ａに対する第１管路３６の軸心３６Ａのオフセット量ｅがあまり大きすぎると、噴射されるエンジンオイルの旋回流れが強くなり過ぎて、直進性が弱くなり、ピストン冠面の裏面側に到達しなくなるおそれがある。そこで好ましくは図１２に示すように、オフセット量ｅは第２管路３８の直径（出口径）に対して１５％以下に設定されていることが好ましい。
【００５０】
以上説明した実施例に基づく内燃機関用オイルジェットとしては、例えば、以下に述べる態様ものが考えられる。
【００５１】
内燃機関用オイルジェットは、その一つの態様において、内燃機関の内部に設けられ、ピストンの裏面側へ向けてオイルを噴射する内燃機関用オイルジェットであって、上記内燃機関のオイル供給通路から供給されるエンジンオイルを上記ピストンへ向けて噴射する噴射ノズルを備え、この噴射ノズルは、上記オイル供給通路側に連通する第１管路と、エンジンオイルを噴射する噴射口を有する第２管路と、を有し、これら第１管路と第２管路とは軸心が所定角度をもって連結しており、上記噴射口の断面積が、上記第１管路の最小の径方向断面積よりも大きく形成されている。
【００５２】
上記内燃機関用オイルジェットの好ましい一つの態様では、上記第２管路の最小の径方向断面積が、上記第１管路の最小の径方向断面積よりも大きく形成されている。
【００５３】
更に別の好ましい態様では、上記内燃機関用オイルジェットは、上記内燃機関のオイル供給通路へ供給されるエンジンオイルの油圧が所定値以上となるとエンジンオイルが噴射するように形成されている。
【００５４】
上記第２管路は、好ましい一つの態様では、直線状に形成されている。
【００５５】
上記第１管路は、好ましい一つの態様では、直線状に形成されている。
【００５６】
上記第１管路と第２管路とは、例えば軸心が３０度以上の角度をもって連結している。
【００５７】
好ましい一つの態様では、上記第２管路の最小の径方向断面積は、上記第１管路の最小の径方向断面積に対して４倍以上に形成されている。
【００５８】
別の好ましい態様では、上記第１管路の軸心を、上記第２管路の軸心に対してオフセットさせている。
【００５９】
別の好ましい態様では、上記第２管路の軸心に対する上記第１管路の軸心のオフセット量が、上記第２管路の直径に対して１５％以下に設定されている。
【００６０】
別の好ましい態様では、上記第２管路は、複数の穴あけ加工により長孔状に成形されている。
【００６１】
更に別の好ましい態様では、上記第２管路は、噴射口へ向けて径方向断面積が拡がる円錐形状に形成されている。
【００６２】
また、別の観点から、内燃機関用オイルジェットの冷却装置としては、内燃機関の内部に設けられ、ピストンの裏面側へ向けてエンジンオイルを噴射する内燃機関用ピストンの冷却装置であって、上記内燃機関からエンジンオイルが供給される供給管と、この供給管と連通し、上記ピストンへ向けてオイルを噴射する噴射口を有する噴射管と、を備え、上記噴射口の断面積が、上記供給管の最小の径方向断面積よりも大きく形成されている。
【００６３】
上記供給管は、好ましい一つの態様では、一部分の径方向断面積がオリフィス状に絞られている。
【００６４】
更に別の好ましい態様では、上記供給管は、上記噴射管と接続する部分の径方向断面積が小さくされている。
【００６５】
更に別の観点から、内燃機関用オイルジェットとしては、内燃機関の内部に設けられ、ピストンの裏面側へ向けてオイルを噴射する内燃機関用オイルジェットであって、上記内燃機関のオイル供給通路から供給されるオイルを上記ピストンへ向けて噴射する噴射ノズルを備え、この噴射ノズルは、上記供給通路と連通する第１管路と、オイルを噴射する噴射口を有する第２管路と、を有し、これら第１管路と第２管路とは軸心が所定角度をもって連結しており、上記第２管路は、その軸心が上記第１管路の軸心に対してオフセットしている。
【図１】
2016189959.tif 000003
【図２】
2016189959.tif 000004
【図３】
2016189959.tif 000005
【図４】
2016189959.tif 000006
【図５】
2016189959.tif 000007
【図６】
2016189959.tif 000008
【図７】
2016189959.tif 000009
【図８】
2016189959.tif 000010
【図９】
2016189959.tif 000011
【図１０】
2016189959.tif 000012
【図１１】
2016189959.tif 000013
【図１２】
2016189959.tif 000014
【図１３】
2016189959.tif 000015
【図１４】
2016189959.tif 000016
【図１５】
2016189959.tif 000017
【図１６】
2016189959.tif 000018
【図１７】
2016189959.tif 000019
【図１８】
2016189959.tif 000020
【図１９】
2016189959.tif 000021
【国際調査報告】
2016189959.tif 000022
2016189959.tif 000023
2016189959.tif 000024
2016189959.tif 000025